(57)【特許請求の範囲】
【請求項１】
カウンタトップに複数の調理ユニットを並べて配置する組合せ式調理ユニットに用いる枠部材であって、
互いに隣り合う調理ユニット間に装着して両者を連結する連結部材と、該連結部材により互いに連結された複数の調理ユニットの前端に取り付けて前縁を形成する前縁部材とを備え、
前記連結部材は、両調理ユニット間を上方から覆う被覆部と、該被覆部の下面に連設されて両調理ユニット間に挿入する挿入部と、該挿入部の下端から両調理ユニットの方向に延出し、両調理ユニットの互いに離反する方向への移動を規制すべく各調理ユニットに係止する一対の係止部とを備え、
前記連結部材は、両調理ユニット間に沿ってスライドさせることにより両調理ユニット間に着脱自在に設けられていることを特徴とする組合せ式調理ユニット用枠部材。
【請求項２】
前記前縁部材は、前記連結部材の前端の少なくとも一部を当接させることにより該連結部材の前方への移動を規制することを特徴とする請求項１記載の組合せ式調理ユニット用枠部材。
【請求項３】
前記前縁部材は、前記調理ユニットの前端に沿ってスライドさせることにより前記調理ユニットの前端に着脱自在に設けられていることを特徴とする請求項１又は２記載の組合せ式調理ユニット用枠部材。
【請求項４】
前記前縁部材は、前記連結部材により互いに連結された複数の調理ユニットの前端の全てを連続して覆う長さを有することを特徴とする請求項１〜３の何れか1項記載の組合せ式調理ユニット用枠部材。
【発明の詳細な説明】
【技術分野】
【０００１】
本発明は、システムキッチン等のカウンタトップに設けた開口にコンロやグリル等の調理ユニットを複数並べて配置する組合せ式調理ユニットに用いる枠部材に関する。
【背景技術】
【０００２】
従来、システムキッチンにおいて、ユニットとして各々独立したコンロ（調理ユニット）をユーザの要望に応じて複数組み合わせて並設するようにしたものが知られている（特許文献１参照）。
【０００３】
この場合、カウンタトップに単一の大きい開口を形成しておき、この開口内に各コンロユニットを並べて落し込むことで、カウンタトップに複数の開口を形成する必要がなく、開口を形成する作業が１回で済むので作業効率がよい。
【０００４】
ところで、この種の組合せ式調理ユニットにおいては、互いに隣り合うコンロユニット間に隙間が生じると、見栄えが悪いだけでなく異物が挟まる等の不都合がある。そこで、コンロユニット間の隙間を覆い隠す被装部材を設けることも行われている。
【０００５】
この被装部材は、コンロユニット間の隙間に装着する帯板状の主部材と、コンロユニットの面取りした天板角部の間に形成される前後の凹部に対応する形状の一対のスペーサ部材とで構成される。そして、各スペーサ部材を主部材の前後の凹部に嵌め込むことにより主部材の前後方向の移動が規制される。
【先行技術文献】
【特許文献】
【０００６】
【特許文献１】特開２０１０−１４４９６０号公報
【発明の概要】
【発明が解決しようとする課題】
【０００７】
上記被装部材の取付け構造によると、各スペーサ部材によって主部材の前後方向の移動については規制されるものの、隣接する両コンロユニットを互いに連結することはできない。
【０００８】
このため、カウンタトップに形成されている単一の大きい開口内に、各コンロユニットを落し込むとき、各コンロユニットを１台ずつ落とし込み設置する作業を行わなければならず、設置作業の効率が低いという不都合があった。
【０００９】
上記の点に鑑み、本発明は、互いに隣合う調理ユニット同士を強固に連結して設置作業性を向上させることができる組合せ式調理ユニット用枠部材を提供することを目的とする。
【課題を解決するための手段】
【００１０】
かかる目的を達成するために、本発明は、カウンタトップに複数の調理ユニットを並べて配置する組合せ式調理ユニットに用いる枠部材であって、互いに隣り合う調理ユニット間に装着して両者を連結する連結部材と、該連結部材により互いに連結された複数の調理ユニットの前端に取り付けて前縁を形成する前縁部材とを備え、前記連結部材は、両調理ユニット間を上方から覆う被覆部と、該被覆部の下面に連設されて両調理ユニット間に挿入する挿入部と、該挿入部の下端から両調理ユニットの方向に延出し、両調理ユニットの互いに離反する方向への移動を規制すべく各調理ユニットに係止する一対の係止部とを備え、前記連結部材は、両調理ユニット間に沿ってスライドさせることにより両調理ユニット間に着脱自在に設けられていることを特徴とする。
【００１１】
前記連結部材は、被覆部により両調理ユニット間を上方から覆うので、両調理ユニット間への異物の侵入を防止することができる。更に、前記連結部材は、一対の係止部が、互いに隣り合う調理ユニットに係止して両調理ユニットの互いに離反する方向への移動を規制するので、両調理ユニットを連結状態とすることができ、設置の際の作業性を向上させることができる。
【００１２】
また、本発明において、前記前縁部材は、前記連結部材の前端の少なくとも一部を当接させることにより該連結部材の前方への移動を規制することが好ましい。
【００１３】
本発明によれば、連結部材の前端の少なくとも一部に前縁部材が当接することにより連結部材が前方に抜け出す動きを規制することができる。よって、構造を簡単として、連結部材の取り付け状態を維持することができる。
【００１４】
また、本発明において、前記前縁部材は、前記調理ユニットの前端に沿ってスライドさせることにより前記調理ユニットの前端に着脱自在に設けられていることが好ましい。前縁部材をスライドさせるだけで、該前縁部材の調理ユニットへの取付け作業が容易となる。更に、該前縁部材の取り外し作業も容易となるので、例えば、メンテナンス作業で前縁部材の取り外しが必要となる場合に円滑な作業が行える。
【００１５】
また、前記前縁部材は、前記連結部材により互いに連結された複数の調理ユニットの前端の全てを連続して覆う長さを有することが好ましい。これによれば、複数の調理ユニットの前端の全長にわたって連続する前縁を形成することができるので、設置状態における複数の調理ユニットに一体的な外観を付与して美観を向上させることができる。
【図面の簡単な説明】
【００１６】
【図１】本発明の一実施形態を示す斜視図。
【図２】コンロユニットの斜視図。
【図３】両コンロユニット間を縦断面視した説明図。
【図４】基枠を示す斜視図。
【図５】フィラーの取り付け状態を断面視して示す説明図。
【図６】連結部材の取り付け状態を断面視して示す説明図。
【図７】連結部材を示す説明的斜視図。
【図８】フィラーの取付け構造の第１の変形例を示す説明的断面図。
【図９】フィラーの取付け構造の第２の変形例を示す説明的断面図。
【図１０】フィラーの取付け構造の第３の変形例を示す説明的断面図。
【図１１】フィラーの取付け構造の第４の変形例を示す説明的断面図。
【図１２】フィラーの取付け構造の第５の変形例を示す説明的断面図。
【図１３】第５の変形例におけるフィラーの組み付け手順を示す説明的断面図。
【発明を実施するための形態】
【００１７】
本発明の一実施形態を図面に基づいて説明する。図１は、システムキッチンのカウンタトップＡに２台のコンロユニット（第１コンロユニット１、第２コンロユニット２）を並設した組合せ式調理ユニットを示している。本発明に係る実施形態の枠部材３は、並設された状態のコンロユニット１，２に設けられている。なお、各コンロユニット１，２は、本発明の調理ユニットに相当する。
【００１８】
先ず、コンロユニット１，２について説明する。第１コンロユニット１は１つのコンロバーナ４を備え、第２コンロユニット２は２つのコンロバーナ５，６を備えている。両コンロユニット１，２をカウンタトップＡに並設することにより３口コンロを構成することができる。
【００１９】
第１コンロユニット１は、図２に示すように、コンロ本体７と、コンロ本体７の上面を閉塞するガラス製の天板８とを備えている。コンロバーナ４の周囲の天板８上には五徳９が載置され、天板８の前端側には、タッチセンサによる操作部１０が設けられている。天板８の外周には、枠部材３が設けられている。
【００２０】
第２コンロユニット２は、２つのコンロバーナ５，６を備えていることと、それに対応する五徳９や操作部１０の数が第１コンロユニット１と異なるが、コンロ本体７、天板８、及び枠部材３は第１コンロユニット１と同じ形状であるため、同一符号を付して説明を省略する。
【００２１】
枠部材３は、図３に示すように、基枠１１と、フィラー１２（前縁部材）と、吸気口部材１３と、吸気口カバー１４とを備えている。図３における符号１５，１６はパッキンを示している。
【００２２】
基枠１１は、図４に示すように、左右一対の側壁枠片１７，１８と、両側壁枠片１７，１８の前部に連結された前枠片１９とを備えている。
【００２３】
図１に示すように、フィラー１２は、並設された第１コンロユニット１の前部と第２コンロユニット２の前部とに沿って連続する長さに形成されている。フィラー１２は、図５に示すように、下方に突出する嵌合突起２０を備え、この嵌合突起２０を前枠片１９に設けられた嵌合凹部２１に嵌合することにより基枠１１に着脱自在に固定される。
【００２４】
なお、フィラーは、図示したもの以外に、コンロユニットの並設台数に対応して長さの異なるものが用意される。即ち、本実施形態のように２台のコンロユニット１，２を並設する場合には２台分の長さを有するフィラー１２を用いる。図示しないが、３台のコンロユニットを並設する場合には３台分の長さを有するフィラーが用いられ、１台のコンロユニットのみである場合には１台分の長さを有するフィラーが用いられる。これにより、コンロユニットを１台から何台並設しても、フィラーによって外観における一体感を得ることができる。
【００２５】
吸気口部材１３は、図４に示すように、両側壁枠片１７，１８の後部の間に連結されている。吸気口部材１３は、図示しないが、コンロ本体７の内部に燃焼用空気を導入するための吸気口を備えており、図３に示すように、この吸気口の上方に張り出すフード２２が設けられている。フード２２は、吸気口からコンロ本体７の内部への異物の侵入を防止する。
【００２６】
また、吸気口部材１３には、図４に示すように、その左右端部に、第１切欠き２３と第２切欠き２４とが形成されている。第１切欠き２３は、２台のコンロユニット１，２を並設したときに互に隣り合う者同士で開放部２５を形成する。
【００２７】
第１切欠き２３の上方に位置する第２切欠き２４は、図３に示すように、吸気口カバー１４の裏側面から突出する爪片２６を掛け止めして吸気口部材１３からの吸気口カバー１４の不用意な外れを防止する。
【００２８】
吸気口カバー１４は、吸気口部材１３の上方を覆う化粧部材として用いられ、図１に示すように、互いに隣接する者同士の端部を当接させて外観上一体感が得られるようにしている。
【００２９】
吸気口カバー１４には、図３に示すように、吸気口部材１３の第１切欠き２３に重なる第３切欠き２７が形成されている。
【００３０】
更に、図１に示すように、枠部材３は連結部材２８を備えている。連結部材２８は、第１コンロユニット１と第２コンロユニット２との間に取り付けられる。
【００３１】
連結部材２８は、図６及び図７に示すように、隙間被覆部２９（被覆部）と、隙間挿入部３０（挿入部）とを備え、隙間挿入部３０の下端には、その長手方向に交差する方向に延出する係止部３１，３１が形成されている。
【００３２】
図６に示すように、隙間被覆部２９は、第１コンロユニット１と第２コンロユニット２との間の隙間上を覆う。このとき、隙間挿入部３０は、第１コンロユニット１と第２コンロユニット２との間の隙間に挿入された状態となって、この隙間を埋める。
【００３３】
更に、係止部３１，３１が側壁枠片１７，１８の内側に沿った凹部１７ａ，１８ａに係止状態となって、第１コンロユニット１と第２コンロユニット２とを連結する。同時に、係止部３１，３１が凹部１７ａ，１８ａに係止されることで、連結部材２８は上方への外れが防止される。
【００３４】
また、隙間被覆部２９と天板８との間にはパッキン３３が設けられている。これにより、第１コンロユニット１と第２コンロユニット２との間の隙間に煮こぼれ汁等の異物が侵入するのを防止している。
【００３５】
図３に示すように、連結部材２８の隙間被覆部２９の前端がフィラー１２に当接することにより、連結部材２８は、前方への動きが規制される。
【００３６】
連結部材２８は、第１コンロユニット１と第２コンロユニット２とを並べた状態として第１コンロユニット１と第２コンロユニット２との間に挿入しスライドさせることによって取り付けることができる。連結部材２８によって連結された状態の第１コンロユニット１と第２コンロユニット２とをシステムキッチンのカウンタトップＡの開口に落とし込むことで、その際の作業が容易に行える。
【００３７】
そして、図１に示すように、フィラー１２を第１コンロユニット１及び第２コンロユニット２の前部に沿って取り付けることで、連結部材２８の取り付け状態が維持され、第１コンロユニット１と第２コンロユニット２とに一体的で良好な外観を付与することができる。
【００３８】
ここで、上記実施形態において示したフィラー１２の取付け構造以外の変形例について説明する。第1の変形例は、図８に示すように、フィラー３５が前枠片３６と複数箇所の凹凸係合により強固に取付けられる構造を有している。即ち、前枠片３６に形成された内向きの凸部３６ａと下向きの凸部３６ｂに、フィラー３５の外向き凹部３５ａと上向き凹部３５ｂとが係合することにより、フィラー３５の強固な取付け状態が維持される。前枠片３６にフィラー３５を取り付ける場合には、前枠片３６の左右の何れか一方からフィラー３５を挿し込むようにしてその長手方向に沿ってスライドさせればよい。
【００３９】
なお、前枠片３６の左右の何れか一方からフィラー３５を挿し込むために、図示しないが、基枠を構成する左右一対の側壁枠片の前端部分を開放させておく必要がある。このため、この開放部分を板状のエンドピース等で閉塞することが行われる。エンドピースは、例えば、前枠片３６の左右の端面に、ビス止め或いは貼着により取り付ければよい。
【００４０】
第２の変形例は、図９に示すように、フィラー３７の内側上面から下方に延びる鉤状の掛止部３７ａが、中空の前枠片３８の上面に形成されたスリット３８ａに掛止する構造を有している。前枠片３８のスリット３８ａに掛止した掛止部３７ａによりフィラー３７の強固な取付けが維持される。一層強固な取り付け状態とするために、図示しないが、フィラー３７の底部と前枠片３８の底部とをネジ止めしてもよい。
【００４１】
第２の変形例のものにおいても、前枠片３８にフィラー３７を取り付けるときには、第1の変形例と同様に、前枠片３８に沿ってフィラー３７をその長手方向にスライドさせる。そして、図示しないが、フィラー３７を前枠片３８の一端から挿し込むために、基枠の側壁枠片の前端部分を開放してもよいが、掛止部３７ａに対応する形状の切欠きを形成しておいてもよい。側壁枠片の前端部分を開放した場合は、第1の変形例と同様に、図示しないエンドピースを設けることが好ましい。
【００４２】
第３の変形例は、図１０に示すように、前枠片３９に対応する形状のフィラー４０を、前枠片３９の外面を被覆した構造を有している。これにより、フィラー４０の形状が単純となり、前枠片３９にその前方からフィラー４０を被せるようして取り付けることができるので、製造コストを低減することができる。なお、フィラー４０は、前枠片３９に被覆した状態にあって前枠片３９から不用意に外れやすい。そこで、前枠片３９の前端部分とフィラー４０の前側内面とを両面接着テープ等で接着してもよいが、図１０に示すように、フィラー４０の底部と前枠片３９の底部とをネジ部材４１を用いて相互に連結することにより、強固な取付状態を維持することができる。
【００４３】
第４の変形例は、図１１に示すように、フィラー４２の内側上面から下方に延びる延出部４２ａが、前枠片４３の平坦面部４３ａ上に重合することで、前枠片４３にフィラー４２を載置した構造を有している。そして、フィラー４２の延出部４２ａと前枠片４３の平坦面部４３ａとをネジ部材４４により締結することで、フィラー４２の前枠片４３からの外れを確実に防止することができる。
【００４４】
第５の変形例は、図１２に示すように、フィラー４５の内側上面から下方に延びて屈曲する掛止部４５ａが、前枠片４６の平坦面部４６ａに形成されたスリット４６ｂに掛止する構造を有している。フィラー４５を前枠片４６に取り付けるときには、先ず、図１３Ａに示すように、フィラー４５を傾斜姿勢として、フィラー４５の掛止部４５ａを前枠片４６のスリット４６ｂに挿通させ、次いで、図１３Ｂに示すように、フィラー４５を取り付け状態の姿勢とすることで、フィラー４５の掛止部４５ａが前枠片４６のスリット４６ｂに確実に掛止状態となる。これにより、前枠片４６へのフィラー４５の取付け作業が容易で、しかも、前枠片４６へのフィラー４５の取付け状態が確実に維持される。
【００４５】
なお、本実施形態においては、調理ユニットとしてコンロバーナ４，５，６を備えるコンロユニット１，２を挙げたが、図示しないが、並設可能にユニット化されているものであれば、グリルや電磁調理器等であっても本発明を採用することができる。
【符号の説明】
【００４６】
Ａ…カウンタトップ、１…第１コンロユニット（調理ユニット）、２…第２コンロユニット（調理ユニット）、３…枠部材、１２，３５，３７，４０，４２，４５…フィラー（前縁部材）、２８…連結部材、２９…隙間被覆部（被覆部）、３０…隙間挿入部（挿入部）、３１…係止部。
【図１】
0006643177.tif 000002
【図２】
0006643177.tif 000003
【図３】
0006643177.tif 000004
【図４】
0006643177.tif 000005
【図５】
0006643177.tif 000006
【図６】
0006643177.tif 000007
【図７】
0006643177.tif 000008
【図８】
0006643177.tif 000009
【図９】
0006643177.tif 000010
【図１０】
0006643177.tif 000011
【図１１】
0006643177.tif 000012
【図１２】
0006643177.tif 000013
【図１３】
0006643177.tif 000014